(57)【要約】【課題】加熱コイルや出力制御基板の熱損失を片側分のみとすることで、出力基板部及び加熱コイル部の熱損失を抑え、冷却ファンのハイパワー化を図ることなく、冷却構造を簡易化することにより冷却効率を向上させコストを低減する。【解決手段】本体１の上面に配置した絶縁板２の下方の本体１内に加熱コイルＡ３、加熱コイルＢ４と、この加熱コイルＡ３、加熱コイルＢ４に対して被加熱物１３が磁性体か非磁性体かを判別し、その判別結果に基づいて夫々磁性体用と非磁性体用の２種類の高周波電力を供給するインバータ回路を搭載した出力制御基板６を設けた誘導加熱調理器において、前記出力制御基板６は被加熱物１３の判別結果により磁性体用又は非磁性体用の高周波電力を選択して供給し、かつ、加熱コイルＡ３、加熱コイルＢ４は同時に非磁性体の被加熱物１３が使用できないように制御する。【選択図】　図２
2004030944.tif 000002
【特許請求の範囲】
【請求項１】
本体（１）の上面に被加熱物（１３）を載置する絶縁板（２）を配置し、この絶縁板（２）の下方の本体（１）内に加熱コイルＡ（３）、加熱コイルＢ（４）と、この加熱コイルＡ（３）、加熱コイルＢ（４）に対して被加熱物（１３）が磁性体か非磁性体かを判別し、その判別結果に基づいて夫々磁性体用と非磁性体用の２種類の高周波電力を供給するインバータ回路を搭載した出力制御基板（６）を設けた誘導加熱調理器において、前記出力制御基板（６）は被加熱物（１３）の判別結果により磁性体用又は非磁性体用の高周波電力を選択して供給し、かつ、加熱コイルＡ（３）、加熱コイルＢ（４）は同時に非磁性体の被加熱物（１３）が使用できないように制御することを特徴とする誘導加熱調理器。
【請求項２】
加熱コイルＡ（３）、加熱コイルＢ（４）の通電中に、その通電を使用者に知らせる表示部Ａ（１０）、表示部Ｂ（１１）を本体（１）に設けたことを特徴とする請求項１記載の誘導加熱調理器。
【請求項３】
出力制御基板（６）は加熱コイルＡ（３）を被加熱物（１３）の判別結果により磁性体用又は非磁性体用の高周波電力を選択して供給し、加熱コイルＢ（４）を磁性体に限定し、磁性体か非磁性体かの判別を行い、その判別結果によって磁性体のみ磁性体用の高周波電力を供給することを特徴とする請求項１及び２記載の誘導加熱調理器。
【発明の詳細な説明】
【０００１】
【発明の属する技術分野】
本発明は、加熱コイルを用いて被加熱物を加熱する誘導加熱調理器に関するものである。
【０００２】
【従来の技術】
従来の誘導加熱調理器は、加熱コイルによって発生する磁束により絶縁板の上に置いた鉄製の鍋等の被加熱物に渦電流を発生させ、被加熱物を加熱するものである。この調理器は、ガスなどの燃焼系の調理器に比べて被加熱物以外への放熱が少なく、熱効率が良好であり、急速に普及しつつある。
【０００３】
その概略の構成は、本体の上面に被加熱物を載置する絶縁板を配置し、この絶縁板の下方で本体内の上部左右に加熱コイルを備え、本体内の空間スペースに出力制御基板とこれらを冷却する冷却ファンを設けたものであり、排気の方向は本体後部より上方向へ向かうようにしたものが一般的である。
【０００４】
このような従来例の代表的なものとして、特公平２−３１４７１号公報及び特公平２−３７０７６号公報に示すものがある。
【０００５】
上記のものは、鍋等の被加熱物が磁性体でも被磁性体でもどちらでも加熱できるようにしたものであり、その概略の構成は、絶縁板の下方に配置された２種類の加熱コイルＡ、Ｂと、この加熱コイルＡ、Ｂに対してそれぞれ略２０ＫＨｚと５０ＫＨｚ以上の高周波電力を供給するインバータ回路と、前記加熱コイルＡ、Ｂに対して被加熱物が磁性体か非磁性体かを判別する検知器と、この検知器の判別結果が磁性体のときは略２０ＫＨｚの高周波電力で加熱コイルを駆動し、検知器の判別結果が非磁性体のときは５０ＫＨｚ以上の高周波電力で加熱コイルを駆動する選択手段を具備したものである。
【０００６】
【発明が解決しようとする課題】
上記従来の構成では、被加熱物が非磁性体の場合、加熱コイルＡ、Ｂを約６０ＫＨｚ以上の高周波電力で駆動させるため、回路部（出力制御基板）の熱損失が大きくなり、また加熱コイルＡ、Ｂの熱損失も大きくなる。
【０００７】
また、これにより出力制御基板部や加熱コイルＡ、Ｂに対して十分な冷却が必要となるため、冷却ファンのハイパワー化や冷却構造が複雑になり、コスト高になるという問題がある。
【０００８】
本発明は、上記の課題を解決するものであり、加熱に際して被加熱物の判別を行い、加熱コイルＡ、Ｂで同時に非磁性体の加熱が出来ないように制御し、さらに使用者に加熱の状態を知らせ、また非磁性体の加熱を一つの加熱コイルに限定することで、加熱コイルや出力制御基板の熱損失を片側分のみとするものである。
【０００９】
【課題を解決するための手段】
本発明の解決手段は、本体の上面に被加熱物を載置する絶縁板を配置し、この絶縁板の下方の本体内に加熱コイルＡ、加熱コイルＢと、この加熱コイルＡ、加熱コイルＢに対して被加熱物が磁性体か非磁性体かを判別し、その判別結果に基づいて夫々磁性体用と非磁性体用の２種類の高周波電力を供給するインバータ回路を搭載した出力制御基板を設けた誘導加熱調理器において、前記出力制御基板は被加熱物の判別結果により磁性体用又は非磁性体用の高周波電力を選択して供給し、かつ、加熱コイルＡ、加熱コイルＢは同時に非磁性体の被加熱物が使用できないように制御するものである。
【００１０】
【発明の実施の形態】
本発明は、上記したように、本体の上面に被加熱物を載置する絶縁板を配置し、この絶縁板の下方の本体内に加熱コイルＡ、加熱コイルＢと、この加熱コイルＡ、加熱コイルＢに対して被加熱物が磁性体か非磁性体かを判別し、その判別結果に基づいて夫々磁性体用と非磁性体用の２種類の高周波電力を供給するインバータ回路を搭載した出力制御基板を設けた誘導加熱調理器において、前記出力制御基板は被加熱物の判別結果により磁性体用又は非磁性体用の高周波電力を選択して供給し、かつ、加熱コイルＡ、加熱コイルＢは同時に非磁性体の被加熱物が使用できないように制御するものである。
【００１１】
また、加熱コイルＡ、加熱コイルＢの通電中に、その通電を使用者に知らせる表示部Ａ、表示部Ｂを本体に設けたものである。
【００１２】
さらに、前記出力制御基板は、加熱コイルＡを被加熱物の判別結果により磁性体用又は非磁性体用の高周波電力を選択して供給し、加熱コイルＢを磁性体に限定し、磁性体か非磁性体かの判別を行い、その判別結果によって磁性体のみ磁性体用の高周波電力を供給するものである。
【００１３】
これによって、加熱コイルや出力制御基板の熱損失を片側分のみとすることで、回路部及び加熱コイル部の熱損失を抑え、冷却ファンのハイパワー化を図ることなく、冷却構造を簡易化し、冷却効率を向上させ、コストを低減することができる。
【００１４】
【実施例】
以下、本発明の一実施例を図面に従って説明する。
【００１５】
図１は誘導加熱調理器の外観斜視図、図２（ａ）（ｂ）は加熱コイルの出力制御ブロック図を示すものである。
【００１６】
図において、１は誘導加熱調理器の本体である。２は絶縁板で、本体１の上面に水平に配置され、鉄等の磁性体又はアルミ等の非磁性体よりなる鍋等の被加熱物１３を載置するものである。
【００１７】
この絶縁板２の前面側上部の左右二箇所には後で述べる出力制御基板６と連動し、それぞれ通電の状態を表示する表示部Ａ１０、表示部Ｂ１１が設けられている。
【００１８】
３は加熱コイルＡ、４は加熱コイルＢで、絶縁板２の下方で本体１内の上部右左に配置されており、絶縁板２上に載置された被加熱物１３を加熱するものである。
【００１９】
５は本体１の前面右側に設けられた操作部で、加熱コイルＡ３、加熱コイルＢ４の加熱の設定、操作を行うものである。
【００２０】
６はこの操作部５と連動した出力制御基板で、本体１内の空間スペースに配置されており、加熱コイルＡ３、加熱コイルＢ４に対して被加熱物１３が磁性体か非磁性体かを電流値にて判別し、その磁性体用と非磁性体用に合った２種類の高周波電力を供給するインバータ回路を搭載している。
【００２１】
７は吸気口で、本体１の後部において上方に向けて開口しており、本体１内部の出力制御基板６に冷却風を取り入れるための開口部である。
【００２２】
８は排気口で、前記吸気口７と同様本体１の後部において上方に向けて開口された開口部である。本実施例では、吸気口７は本体１後部の右側に、排気口８は左側に配置している。
【００２３】
９は本体１の前面左部に設けられたロースター加熱部である。
【００２４】
１２は本体１内の後部スペースに設けられた冷却ファンで、出力制御基板６及び加熱コイルＡ３、加熱コイルＢ４へ冷却風を送風するものである。
【００２５】
本発明の一実施例として、図２（ａ）に示す如く、使用者が鉄等磁性体の被加熱物１３とアルミ等非磁性体の被加熱物１３をそれぞれ加熱コイルＡ３、加熱コイルＢ４の上方に載置し、操作部５にて任意の出力に操作すると、出力制御基板６がこの加熱コイルＡ３、加熱コイルＢ４に対してそれぞれの被加熱物１３が磁性体か非磁性体かを電流値にて判別し、磁性体の被加熱物１３が載置された加熱コイルＡ３へは磁性体用の約２１ＫＨｚの高周波電力を供給し、非磁性体の被加熱物１３が載置された加熱コイルＢ４へは非磁性体用の約６０ＫＨｚ以上の高周波電力を供給する。このとき、表示部Ａ１０、表示部Ｂ１１は、その通電状態を表示する。
【００２６】
なお、加熱コイルＡ３、Ｂ４に載置する被加熱物１３の組み合わせを変えても出力制御基板６はそれぞれを判別し、磁性体用又は非磁性体用の高周波電力を供給する。
【００２７】
但し、両方の加熱コイルＡ３、Ｂ４へ同時に非磁性体の被加熱物１３を載置した場合には、非磁性体用の高周波電力を駆動することができないよう出力制御基板６が制御する。
【００２８】
また、他の一例として図２（ｂ）に示す如く、加熱コイルＡ３、Ｂ４に載置する磁性体、非磁性体のどちらの被加熱物１３に対しても高周波電力を供給できる加熱部を加熱コイルＡ３のみとし、加熱コイルＢ４側は磁性体の被加熱物１３のみ判別し、非磁性体の場合は高周波電力を供給しないように出力制御基板６が制御する。この場合にも、表示部Ａ１０、表示部Ｂ１１にその通電状態を表示する。尚、加熱コイルＡ、Ｂと磁性体、非磁性体との関係はその逆であってもよい。
【００２９】
上記によって、加熱コイルＡ３、Ｂ４や出力制御基板６の熱損失を片側分のみとすることで、出力制御基板６及び加熱コイルＡ３、Ｂ４の熱損失を抑え、これらを冷却する冷却ファン１２のハイパワー化を図ることなく冷却構造を簡易化することにより冷却効率を向上させることができる。
【００３０】
【発明の効果】
以上述べたように、本発明の誘導加熱調理器によれば、絶縁板の下方に配置した加熱コイルＡ、加熱コイルＢに対して被加熱物が磁性体か非磁性体かを判別し、その判別結果に基づいて夫々磁性体用と非磁性体用の２種類の高周波電力を供給するインバータ回路を搭載した出力制御基板を設けた誘導加熱調理器において、前記出力制御基板は被加熱物の判別結果により磁性体用又は非磁性体用の高周波電力を選択して供給し、かつ、加熱コイルＡ、加熱コイルＢは同時に非磁性体の被加熱物が使用できないように制御するものである。
【００３１】
また、加熱コイルＡ、加熱コイルＢの通電中にその通電を使用者に知らせる表示部Ａ、表示部Ｂを本体に設けたものである。
【００３２】
さらに、前記出力制御基板は、加熱コイルＡを被加熱物の判別結果により磁性体用又は非磁性体用の高周波電力を選択して供給し、加熱コイルＢを磁性体に限定し、磁性体か非磁性体かの判別を行い、その判別結果によって磁性体のみ磁性体用の高周波電力を供給するものである。
【００３３】
これによって、加熱コイルＡ、Ｂや出力制御基板の熱損失を片側分のみとすることで、出力制御基板及び加熱コイルＡ、Ｂの熱損失を抑え、これらを冷却する冷却ファンのハイパワー化を図ることなく冷却構造を簡易化することにより冷却効率を向上させることができる。
【００３４】
また、非磁性体の加熱を片側の加熱コイルに限定してさらに使用者に加熱の状態を知らしめることができる。
【００３５】
さらに、出力制御基板及び加熱コイル部の熱損失を抑え、冷却ファンのハイパワー化を図ることなく、冷却構造を簡易化することにより冷却効率を向上させ、コストを低減することができる。
【図面の簡単な説明】
【図１】本発明の外観斜視図である。
【図２】本発明の加熱コイル出力制御ブロック図である。
【符号の説明】
１　本体
２　絶縁板
３　加熱コイルＡ
４　加熱コイルＢ
５　操作部
６　出力制御基板
７　吸気口
８　排気口
９　ロースター加熱部
１０　表示部Ａ
１１　表示部Ｂ
１２　冷却ファン
【図１】
2004030944.tif 000003
【図２】
2004030944.tif 000004